(57)【要約】【課題】ユーザから要求があった場合に、特定の動作環境に強制的に切り替えた上で物理量を検出することができ、その検出結果に基づく情報を報知することができる構成を実現する。【解決手段】  ガスコンロ制御装置１０１は、音声指示を検出する音声指示検出部と、音声指示検出部で検出された音声指示が予め定められた特定指示である場合に、ガスコンロ１内の所定部位に強制動作を行わせる制御部と、制御部によって強制動作がなされた場合に、強制動作に応じて所定種類の物理量が変化する計測対象領域において、所定種類の物理量を検出する物理量検出部と、少なくとも強制動作が開始された後の物理量検出部の検出結果に基づく情報を報知する報知部と、を備える。【選択図】図１
2020041720.tif 000002
【特許請求の範囲】
【請求項１】
ガスバーナを有するガスコンロにおいて物理量の計測を制御するガスコンロ用制御装置であって、
音声指示を検出する音声指示検出部と、
前記音声指示検出部で検出された音声指示が予め定められた特定指示である場合に、前記ガスコンロ内の所定部位に強制動作を行わせる制御部と、
前記制御部によって前記強制動作がなされた場合に、前記強制動作に応じて所定種類の物理量が変化し得る計測対象領域において、前記所定種類の物理量を検出する物理量検出部と、
少なくとも前記強制動作が開始された後の前記物理量検出部の検出結果に基づく情報を報知する報知部と、
を備えるガスコンロ用制御装置。
【請求項２】
前記制御部は、点火中のガスバーナ近傍での温度検出を要求する温度要求指示を前記特定指示とし、前記温度要求指示が前記音声指示検出部で検出された場合において前記点火中のガスバーナの火力が所定の抑制状態よりも大きい火力である場合に、前記点火中のガスバーナの火力が前記所定の抑制状態となるように前記点火中のガスバーナに前記強制動作を行わせ、
前記物理量検出部は、前記温度要求指示が前記音声指示検出部で検出されることに応じて前記制御部によって前記点火中のガスバーナに対して前記強制動作が行われた場合に、前記強制動作がなされているときの前記点火中のガスバーナ近傍を前記計測対象領域として温度を検出する構成であり、
前記報知部は、前記強制動作中に前記物理量検出部によって検出された前記計測対象領域の温度に基づく情報を報知する
請求項１に記載のガスコンロ用制御装置。
【請求項３】
前記制御部は、前記点火中のガスバーナの火力を最小火力とするように前記点火中のガスバーナに前記強制動作を行わせる
請求項２に記載のガスコンロ用制御装置。
【請求項４】
前記ガスコンロは電池を備え、
前記制御部は、前記音声指示検出部で検出された音声指示が前記特定指示である場合に、前記ガスコンロ内に設けられた特定負荷を強制的に駆動するように前記強制動作を行い、
前記物理量検出部は、前記特定負荷の強制的な駆動の開始前後の前記電池の出力電圧をそれぞれ検出し、
前記報知部は、前記物理量検出部によって検出された、前記開始前後の前記電池の出力電圧に基づく情報を報知する
請求項１から請求項３のいずれか一項に記載のガスコンロ用制御装置。
【請求項５】
前記物理量検出部によって検出された前記開始前後の前記電池の出力電圧に基づいて前記電池の内部抵抗値を検出する内部抵抗値検出部を備え、
前記報知部は、前記内部抵抗値検出部によって検出された前記電池の内部抵抗値に基づく情報を報知する
請求項４に記載のガスコンロ用制御装置。
【請求項６】
前記報知部は、前記強制動作前又は前記強制動作中に、前記強制動作が行われること又は前記強制動作が行われていることの報知を行う
請求項１から請求項５のいずれか一項に記載のガスコンロ用制御装置。
【請求項７】
請求項１から請求項６のいずれか一項に記載のガスコンロ用制御装置と、
前記ガスコンロと、
前記ガスコンロと無線通信を行う情報処理端末と、
含むガスコンロシステムであって、
前記音声指示検出部が、前記情報処理端末に設けられ、
前記制御部及び前記物理量検出部が、前記ガスコンロに設けられ、
前記報知部が、前記情報処理端末又は前記ガスコンロの少なくともいずれかに設けられている
ガスコンロシステム。
【請求項８】
前記情報処理端末は、
表示装置と、
前記音声指示検出部で検出された音声指示が機器情報を要求する所定の要求指示である場合に、前記機器情報を報知可能な複数の対象部分のリストを前記表示装置に表示する表示制御部と、
を有し、
前記制御部は、前記表示装置に前記リストが表示された後に前記音声指示検出部で検出された音声指示が、前記リストのうちのいずれかの前記対象部分を指定して物理量の検出を要求する前記特定指示である場合に、前記特定指示で指定された前記対象部分に対応した前記計測対象領域での前記所定種類の物理量に影響を与える前記所定部位に前記強制動作を行わせる
請求項７に記載のガスコンロシステム。
【発明の詳細な説明】
【技術分野】
【０００１】
本発明は、ガスコンロ用制御装置、及びガスコンロシステムに関する。
【背景技術】
【０００２】
従来から提供されているガスコンロは、様々なセンサによって電圧や温度などの物理量を検出し得る構成となっている。具体的には、特許文献１で開示されるガスコンロのように、サーミスタや熱電対などによってガスバーナ近傍の温度を検出し得る構成となっているものが多く、電池電圧などを検出し得る構成のものも存在する。
【先行技術文献】
【特許文献】
【０００３】
【特許文献１】特開２０００−４６３４０号公報
【発明の概要】
【発明が解決しようとする課題】
【０００４】
このように、物理量（電圧や温度など）をセンサによって検出するように構成されたガスコンロでは、検出した物理量をガスコンロでなされる各種制御に利用することが多い。例えば、特許文献１の技術では、温度検出器で検出する温度を沸騰状態の判定や電磁弁の制御に用いている。
【０００５】
しかし、場合によっては、ガスコンロで検出した物理量やその物理量を反映して生成された情報を、外部に報知することが望まれる場合も想定される。このような場面では、何らかの方法で物理量を検出し、検出結果に基づく情報を何らかの方法で外部に報知することが望ましいが、そのときの動作環境が物理量の検出に適さない場面や、何らかの特定動作を行っているときの物理量を把握したい場面などでは、物理量を検出するときの環境を変化させることが望まれる。
【０００６】
本発明は上述した課題の少なくとも一つを解決するためになされたものであり、ユーザから要求があった場合に、特定の動作環境に強制的に切り替えた上で物理量を検出することができ、その検出結果に基づく情報を報知することができる構成を実現することを目的とする。
【課題を解決するための手段】
【０００７】
本発明の第１態様は、ガスバーナを有するガスコンロにおいて物理量の計測を制御するガスコンロ用制御装置であって、
音声指示を検出する音声指示検出部と、
前記音声指示検出部で検出された音声指示が予め定められた特定指示である場合に、前記ガスコンロ内の所定部位に強制動作を行わせる制御部と、
前記制御部によって前記強制動作がなされた場合に、前記強制動作に応じて所定種類の物理量が変化し得る計測対象領域において、前記所定種類の物理量を検出する物理量検出部と、
少なくとも前記強制動作が開始された後の前記物理量検出部の検出結果に基づく情報を報知する報知部と、
を備える。
【０００８】
本発明の第２態様は、上記ガスコンロ用制御装置と、
前記ガスコンロと、
前記ガスコンロと無線通信を行う情報処理端末と、
含むガスコンロシステムであって、
前記音声指示検出部が、前記情報処理端末に設けられ、
前記制御部及び前記物理量検出部が、前記ガスコンロに設けられ、
前記報知部が、前記情報処理端末又は前記ガスコンロの少なくともいずれかに設けられている。
【発明の効果】
【０００９】
本発明は、音声によって特定指示が与えられた場合に、その特定指示を音声指示検出部によって検出し、ガスコンロ内の所定部位に強制動作を行わせることができる。そして、このような強制動作がなされる場合には、強制動作に応じて所定種類の物理量が変化し得る計測対象領域において所定種類の物理量を検出し、その検出結果に基づく情報を外部に報知することができる。
つまり、ユーザは、ガスコンロ用制御装置に対して音声で特定指示を与えることで、所定部位に強制動作を行わせるようにガスコンロを動作させることができる。そして、その強制動作によって影響を受け得る領域（計測対象領域）の物理量を検出させた上で、その検出結果に基づく情報を外部に報知させるようにガスコンロ用制御装置を動作させることができる。
よって、「ユーザから要求があった場合に、特定の動作環境に強制的に切り替えた上で物理量を検出することができ、その検出結果に基づく情報を報知することができる構成」を実現することができる。
【図面の簡単な説明】
【００１０】
【図１】実施例１のガスコンロシステムを概略的に例示する斜視図である。
【図２】実施例１のガスコンロシステムにおけるガスコンロでの各ガスバーナへのガス供給路等を概念的に示す説明図である。
【図３】実施例１のガスコンロシステムの電気的構成について、主にガスコンロの電気的構成を具体的に例示するブロック図である。
【図４】実施例１のガスコンロシステムの電気的構成について、主に情報処理端末の電気的構成を具体的に例示するブロック図である。
【図５】実施例１のガスコンロシステムの情報処理端末で実行される音声対応制御の流れを例示するフローチャートである。
【図６】図５の音声対応制御における第１制御の流れを例示するフローチャートである。
【図７】図６の第１制御における第２の機器関連制御の流れを例示するフローチャートである。
【図８】実施例１のガスコンロシステムの情報処理端末で実行される音声対応制御の概要を説明する説明図である。
【図９】音声対応制御中の第１選択肢の表示状態を例示する説明図である。
【図１０】図９で表示される第１選択肢のうちの機器情報が選択されたときの第２選択肢の表示状態を例示する説明図である。
【図１１】図１０で表示される第２選択肢のうちのコンロ右が選択されたときの第３選択肢の表示状態を例示する説明図である。
【発明を実施するための形態】
【００１１】
本発明の好ましい形態を以下に例示する。但し、本発明は以下の例に限定されない。
【００１２】
制御部は、点火中のガスバーナ近傍での温度検出を要求する温度要求指示を特定指示とし、温度要求指示が音声指示検出部で検出された場合において点火中のガスバーナの火力が所定の抑制状態よりも大きい火力である場合に、点火中のガスバーナの火力が所定の抑制状態となるように点火中のガスバーナに強制動作を行わせてもよい。そして、物理量検出部は、温度要求指示が音声指示検出部で検出されることに応じて制御部によって点火中のガスバーナに対して強制動作が行われた場合に、強制動作がなされているときの点火中のガスバーナ近傍を計測対象領域として温度を検出する構成であってもよい。そして、報知部は、強制動作中に物理量検出部によって検出された計測対象領域の温度に基づく情報を報知する構成であってもよい。
この構成では、ユーザによって温度要求指示（点火中のガスバーナ近傍での温度検出を要求する指示）がなされ、そのときの点火中のガスバーナの火力が所定の抑制状態よりも大きい火力である場合に、所定の抑制状態となるように点火中のガスバーナに強制動作を行わせることができる。そして、物理量検出部は、このような強制動作がなされているときの点火中のガスバーナ近傍を計測対象領域として温度を検出し、報知部は、強制動作中に物理量検出部によって検出された計測対象領域の温度に基づく情報を報知することができる。つまり、計測対象領域（温度要求がなされたガスバーナ近傍）が点火中のガスバーナに基づいて加熱される度合いを強制動作によって抑えた上で、その計測対象領域の温度を検出し、その検出結果に基づく情報を報知することができる。
【００１３】
制御部は、点火中のガスバーナの火力を最小火力とするように点火中のガスバーナに強制動作を行わせる構成であってもよい。
この構成では、ユーザによって温度要求指示（点火中のガスバーナ近傍での温度検出を要求する指示）がなされたときに、その点火中のガスバーナの火力が最小火力（その点火中のガスバーナにおいて変更可能となる火力範囲における最小火力）でない場合に、そのガスバーナの火力を最小火力とするように強制動作を行わせることができる。そして、このような強制動作により、点火中のガスバーナの火力が計測対象領域に及ぼす影響をより一層抑えた上で、計測対象領域の温度を検出し、その検出結果に基づく情報を報知することができる。
【００１４】
ガスコンロは、電池を備えていてもよい。そして、制御部は、音声指示検出部で検出された音声指示が特定指示である場合に、ガスコンロ内に設けられた特定負荷を強制的に駆動するように強制動作を行う構成であってもよい。そして、物理量検出部は、特定負荷の強制的な駆動の開始前後の電池の出力電圧をそれぞれ検出する構成であってもよい。そして、報知部は、物理量検出部によって検出された、開始前後の電池の出力電圧に基づく情報を報知する構成であってもよい。
このように構成されていれば、ユーザが音声によって特定指示を発した場合に、音声指示検出部がその特定指示を検出し、このような特定指示の検出に応じて、制御部は特定負荷を強制的に駆動することになる。そして、物理量検出部は、このような強制駆動の開始前後において電池の出力電圧を検出し、報知部は、その検出結果に基づく情報を報知することができる。よって、ユーザは、複雑な手操作を数多く行わなくても、簡易な音声指示によって電池の具体的な状態を正確に把握しやすくなる。
【００１５】
本発明は、物理量検出部によって検出された上記「開始前後の電池の出力電圧」に基づいて電池の内部抵抗値を検出する内部抵抗値検出部を備えていてもよい。そして、報知部は、内部抵抗値検出部によって検出された電池の内部抵抗値に基づく情報を報知するように動作してもよい。このように構成されていれば、ユーザは、音声によって内部抵抗値の検出を指示することが可能となり、その時点での電池の内部抵抗値を反映した情報を報知させることが可能となる。
【００１６】
報知部は、強制動作前又は強制動作中に、強制動作が行われること又は強制動作が行われていることの報知を行うようにしてもよい。このようにすれば、強制動作前と強制動作中とで状態や音が変化しても、ユーザはその変化が強制動作に起因するものであるということを推測しやすくなる。従って、強制動作中にユーザが違和感をもったり不安を感じたりしにくくなる。
【００１７】
上記いずれかの構成をなすガスコンロ用制御装置と、ガスコンロと、ガスコンロと無線通信を行う情報処理端末と、含むガスコンロシステムを構成してもよい。このようなシステムでは、音声指示検出部が、情報処理端末に設けられていてもよく、制御部及び物理量検出部が、ガスコンロに設けられていてもよく、報知部が、情報処理端末又はガスコンロの少なくともいずれかに設けられていてもよい。このようにすれば、上述したガスコンロ用制御装置と同様の効果が得られるガスコンロシステムを構築することができる。
【００１８】
このガスコンロシステムにおいて、情報処理端末は、表示装置と、音声指示検出部で検出された音声指示が機器情報を要求する所定の要求指示である場合に、機器情報を報知可能な複数の対象部分のリストを表示装置に表示する表示制御部と、を有していてもよい。そして、制御部は、表示装置にリストが表示された後に音声指示検出部で検出された音声指示が、リストのうちのいずれかの対象部分を指定して物理量の検出を要求する特定指示である場合に、特定指示で指定された対象部分に対応した計測対象領域での所定種類の物理量に影響を与える所定部位に強制動作を行わせるように動作してもよい。このように構成されていれば、ユーザは、所定の要求指示を音声によって発することで機器情報を報知可能な複数の対象部分のリストを把握することが可能となり、ガスコンロ内においてどの部分の機器情報が取得可能なであるかを簡単な操作で正確に認識しやすくなる。そして、リストの内容を把握した後には、物理量の検出を要求する部分を簡単な操作で正確に指定しやすくなる。
【００１９】
＜実施例１＞
以下、実施例１について、図面を参照して説明する。
図１で示すガスコンロシステム１００は、主に、ガスコンロ１と情報処理端末９０とによって構成されている。以下の説明では、ガスコンロシステム１００がガスコンロ用制御装置１０１として構成された例を代表例として説明する。
【００２０】
まず、ガスコンロ１について説明する。
図１のように、ガスコンロ１は、調理鍋等の調理器具を加熱可能なビルトインコンロとして構成されている。ガスコンロ１は、コンロ本体１Ａの上面を構成する天板２（トッププレート）から露出するように、右コンロ部４Ａ、左コンロ部４Ｂ、がそれぞれ設けられ、その左右のコンロ部４Ａ，４Ｂの間で後方寄りに後コンロ部４Ｃが設けられている。天板２の下方においてコンロ本体１Ａの内部中央付近にはグリル３が設けられている。グリル３は、被調理物を収納してグリルバーナ（ガスバーナ５４：図２）で加熱調理するグリル庫を備え、このグリル庫は、グリル扉３Ｂによって開閉可能とされている。右コンロ部４Ａ、左コンロ部４Ｂ、後コンロ部４Ｃ、グリル３には、図２で示すガスバーナ５１，５２，５３，５４がそれぞれ設けられている。なお、右コンロ部４Ａ、左コンロ部４Ｂ、後コンロ部４Ｃは、それぞれコンロ右、コンロ左、コンロ後ともいう。グリル３は、グリルオーブンともいう。
【００２１】
図２のように、複数のガスバーナ５１，５２，５３，５４には、複数の分岐供給路６１，６２，６３，６４がそれぞれ接続され、これら分岐供給路６１，６２，６３，６４は、共通供給路６０から分岐する構成をなす。共通供給路６０は、ガスバーナ５１，５２，５３，５４への共通のガス経路であり、複数の分岐供給路６１，６２，６３，６４は、共通供給路６０から分岐するとともに各ガスバーナ５１，５２，５３，５４に向けてガスを導くように配設された供給路である。共通供給路６０には、共通供給路６０を開閉する元電磁弁Ｎ１が設けられる。共通供給路６０から分岐してガスバーナ５１に続く分岐供給路６１には、分岐供給路６１を開閉可能な電磁弁（安全弁）５１Ｇと、分岐供給路６１を開閉可能な閉止弁５１Ｆと、ガスバーナ５１へのガス供給量を調整可能な火力調整弁５１Ｅとが設けられている。共通供給路６０から分岐してガスバーナ５２に続く分岐供給路６２には、分岐供給路６２を開閉可能な電磁弁（安全弁）５２Ｇと、分岐供給路６２を開閉可能な閉止弁５２Ｆと、ガスバーナ５２へのガス供給量を調整可能な火力調整弁５２Ｅとが設けられている。共通供給路６０から分岐してガスバーナ５３に続く分岐供給路６３には、分岐供給路６３を開閉可能な電磁弁（安全弁）５３Ｇと、分岐供給路６３を開閉可能な閉止弁５３Ｆと、ガスバーナ５３へのガス供給量を調整可能な火力調整弁５３Ｅとが設けられている。
【００２２】
安全弁５１Ｇ、閉止弁５１Ｆ、火力調整弁５１Ｅは、図３で示すステッピングモータＭ１によって駆動されるようになっており、ステッピングモータＭ１の回転角度が第１角度範囲になったときに安全弁５１Ｇが開放し、モータＭ１の回転角度が第２角度範囲になったときに閉止弁５１Ｆが開放し、ステッピングモータＭ１の回転角度が第１角度範囲及び第２角度範囲よりも大きい第３角度範囲のときに回転角度に応じて火力調整弁５１Ｅの開度が設定されるようになっている。具体的には、制御回路１０からの指示に応じたモータ駆動回路４８Ａの動作によってステッピングモータＭ１の回転角度が制御されることで火力調整弁５１Ｅの開度が制御され、ガスバーナ５１での火力が火力調整弁５１Ｅの開度に応じて定まる。同様に、制御回路１０からの指示に応じたモータ駆動回路４８Ｂの動作によってステッピングモータＭ２の回転角度が制御されることで火力調整弁５２Ｅの開度が制御され、ガスバーナ５２での火力が火力調整弁５２Ｅの開度に応じて定まる。同様に、制御回路１０からの指示に応じたモータ駆動回路４８Ｃの動作によってステッピングモータＭ３の回転角度が制御されることで火力調整弁５３Ｅの開度が制御され、ガスバーナ５３での火力が火力調整弁５３Ｅの開度に応じて定まる。グリル３のガスバーナ５４（グリルバーナ）は、グリル３内において上側に配置される上バーナ５４Ａと、グリル３内において上バーナ５４Ａよりも下側に配置される下バーナ５４Ｂとを備える。共通供給路６０から分岐してガスバーナ５４にガスを導く分岐供給路６４には、更に、分岐供給路６４から分岐して上バーナ５４Ａにガスを導く第１供給路６５Ａと、分岐供給路６４から分岐して下バーナ５４Ｂにガスを導く第２供給路６５Ｂとが接続されている。分岐供給路６４には、分岐供給路６４を開閉可能な電磁弁（安全弁）５４Ｇと閉止弁５４Ｆとが設けられ、第１供給路６５Ａには複数の電磁弁５４Ｈ，５４Ｊが設けられ、第２供給路６５Ｂには電磁弁５４Ｋが設けられている。電磁弁５４Ｈ，５４Ｊ，５４Ｋの開閉は、制御回路１０によって制御される。
【００２３】
図１に示すように、右コンロ部４Ａ、左コンロ部４Ｂ、後コンロ部４Ｃ、グリル３にそれぞれ対応するように４つの回転操作部６Ａ，６Ｂ，６Ｃ，６Ｄが設けられている。回転操作部６Ａは、右コンロ部４Ａの点火、消火、火力調整を行うものであり、回転操作部６Ｂは、左コンロ部４Ｂの点火、消火、火力調整を行うものであり、回転操作部６Ｃは、後コンロ部４Ｃの点火、消火、火力調整を行うものであり、第４の回転操作部６Ｄは、グリル３の点火、消火、火力調整を行うものであり、これらはいずれも、押圧操作可能に構成され、且つ回転操作可能に構成されている。回転操作部６Ａ，６Ｂ，６Ｃ，６Ｄのいずれも、使用者が押す毎に退避位置と突出位置とに切り替わるようになっている。そして、図３の電気的構成で示すように、回転操作部６Ａ，６Ｂ，６Ｃ，６Ｄにそれぞれ対応するようにスイッチ３０Ａ，３０Ｂ，３０Ｃ，３０Ｄがそれぞれ設けられ、スイッチ３０Ａ，３０Ｂ，３０Ｃ，３０Ｄにそれぞれ対応するように点火信号入力回路４０Ａ，４０Ｂ，４０Ｃ，４０Ｄがそれぞれ設けられている。スイッチ３０Ａ，３０Ｂ，３０Ｃ，３０Ｄは、いずれも点火スイッチとして機能し、回転操作部６Ａ，６Ｂ，６Ｃ，６Ｄのいずれにおいても、各回転操作部が突出位置から退避位置（消火位置）へと操作されることに応じて、各回転操作部に対応するスイッチがオフ状態となり、このスイッチに対応する点火信号入力回路から制御回路１０にオフ信号が与えられる。また、回転操作部６Ａ，６Ｂ，６Ｃ，６Ｄのいずれにおいても、各回転操作部が退避位置から突出位置（点火位置）へと操作されることに応じて、各回転操作部に対応するスイッチがオン状態となり、このスイッチに対応する点火信号入力回路から制御回路１０にオン信号が与えられる。
【００２４】
更に、回転操作部６Ａ，６Ｂ，６Ｃ，６Ｄにそれぞれ対応するように変位検出部３２Ａ，３２Ｂ，３２Ｃ，３２Ｄがそれぞれ設けられ、変位検出部３２Ａ，３２Ｂ，３２Ｃ，３２Ｄにそれぞれ対応するように火力信号入力回路４２Ａ，４２Ｂ，４２Ｃ，４２Ｄがそれぞれ設けられている。回転操作部６Ａ，６Ｂ，６Ｃ，６Ｄのいずれにおいても、各回転操作部の変位（回転位置）を各回転操作部に対応する変位検出部が検出し、この変位検出部に対応する火力信号入力回路から変位検出部が検出した変位（回転位置）に応じた信号が制御回路１０に与えられる。
【００２５】
図２のように、上バーナ５４Ａにガスを導く主経路として第１供給路６５Ａが構成され、この第１供給路６５Ａに設けられた電磁弁５４Ｊを迂回するように、電磁弁５４Ｊの経路と並列の経路であるバイパス路６６Ａが設けられている。電磁弁５４Ｈが開放した状態で電磁弁５４Ｊが閉じているときには分岐供給路６４によって導かれたガスはバイパス路６６Ａを通って上バーナ５４Ａに供給される。また、電磁弁５４Ｈ，５４Ｊがいずれも開いているときには分岐供給路６４によって導かれたガスは第１供給路６５Ａ又はバイパス路６６Ａを通って上バーナ５４Ａに供給される。また、下バーナ５４Ｂにガスを導く主経路として第２供給路６５Ｂが構成され、この第２供給路６５Ｂに設けられた電磁弁５４Ｋを迂回するように、電磁弁５４Ｋの経路と並列の経路であるバイパス路６６Ｂが設けられている。電磁弁５４Ｋが閉じているときには分岐供給路６４によって導かれたガスはバイパス路６６Ｂを通って下バーナ５４Ｂに供給される。また、電磁弁５４Ｋが開いているときには分岐供給路６４によって導かれたガスは第２供給路６５Ｂ又はバイパス路６６Ｂを通って下バーナ５４Ｂに供給される。
【００２６】
また、図２、図３のように、各ガスバーナ５１，５２，５３のそれぞれの近くにはサーミスタ５１Ｃ，５２Ｃ，５３Ｃがそれぞれ設けられている。そして、サーミスタ５１Ｃ，５２Ｃ，５３Ｃのそれぞれに対応して温度信号入力回路４４Ａ，４４Ｂ，４４Ｃがそれぞれ設けられている。具体的には、サーミスタ５１Ｃは、右コンロ部４Ａに載置された調理容器の底部の温度を検出し、温度信号入力回路４４Ａは、サーミスタ５１Ｃでの検出温度に応じた電圧信号を制御回路１０に入力する。サーミスタ５２Ｃは、左コンロ部４Ｂに載置された調理容器の底部の温度を検出し、温度信号入力回路４４Ｂは、サーミスタ５２Ｃでの検出温度に応じた電圧信号を制御回路１０に入力する。サーミスタ５３Ｃは、後コンロ部４Ｃに載置された調理容器の底部の温度を検出し、温度信号入力回路４４Ｃは、サーミスタ５３Ｃでの検出温度に応じた電圧信号を制御回路１０に入力する。なお、図２ではサーミスタ５１Ｃ，５２Ｃ，５３Ｃを概念的に示しているが、サーミスタ５１Ｃ，５２Ｃ，５３Ｃのそれぞれの配置は、右コンロ部４Ａ、左コンロ部４Ｂ、後コンロ部４Ｃのそれぞれに載置された調理容器に近接し得る位置（具体的には、調理容器に対して直接的に又は他部材を介して間接的に接触し得る位置）であればよい。サーミスタ５４Ｃは、グリル３内に配置され、グリル３の庫内の所定位置の温度を検出し、温度信号入力回路４４Ｄは、サーミスタ５４Ｃでの検出温度に応じた電圧信号を制御回路１０に入力する。なお、図２、図３では図示は省略しているが、各ガスバーナ５１，５２，５３，５４Ａ，５４Ｂのそれぞれに隣接して熱電対がそれぞれ設けられ、各熱電対のそれぞれに対応して温度信号入力回路がそれぞれ設けられている。これら温度信号入力回路はいずれも、対応する熱電対で生じた起電力に応じた信号を制御回路１０に入力する。
【００２７】
各ガスバーナ５１，５２，５３，５４のそれぞれに隣接してイグナイタ２６Ａ，２６Ｂ，２６Ｃ，２６Ｄがそれぞれ設けられ、イグナイタ２６Ａ，２６Ｂ，２６Ｃ，２６Ｄのそれぞれに対応してイグナイタ回路４６Ａ，４６Ｂ，４６Ｃ，４６Ｄがそれぞれ設けられている。例えば、ガスバーナ５１に対応してイグナイタ２６Ａが設けられ、イグナイタ回路４６Ａは、スイッチ３０Ａの点火操作に応じてイグナイタ２６Ａを駆動し、イグナイタ２６Ａで火花を放電させてガスバーナ５１に点火する。
【００２８】
制御回路１０は、例えばマイクロコンピュータとして構成されており、図３のように、ＣＰＵ１０Ａ、ＲＯＭ１０Ｂ、ＲＡＭ１０Ｃなどを備え、更に、図示しないタイマ、Ｉ／Ｏインタフェースなどを備える。制御回路１０は、上述した各電磁弁（図３では図示を省略）、イグナイタ２６Ａ，２６Ｂ，２６Ｃ，２６Ｄ、複数のモータＭ１，Ｍ２，Ｍ３，Ｍ４、ブザー装置１２、音声装置１４などを制御し得る。ブザー装置１２は、圧電ブザー装置などの公知のブザー装置として構成されている。音声装置１４は、メロディ、メッセージなどの音声を発する装置であり、例えば、スピーカやスピーカに対して音声信号を与える駆動回路などを備え、制御回路１０からの指示に対応した音声を発するように動作する。不揮発性メモリ１６は、制御回路１０によって書き込み及び読み出しが可能とされた公知の不揮発性メモリである。操作部１８は、操作ボタンやタッチパネルなどの公知の入力インタフェースによって構成され、ユーザの操作に応じた情報を制御回路１０に入力し得るものである。また、上述した電気部品を含め、様々な電気部品に電力を供給するように電源回路４８が設けられている。電源回路４８は電池ボックスに収容された電池４９（例えば２つの乾電池）からの電力供給を受け、所定の電源電圧を生成する機能を有しており、電源回路４８で生成された電源電圧は、図示しない経路を介して様々な電気部品に供給される。
【００２９】
更に、電池４９の出力電圧（電池４９における高電位側端子の電位と低電位側端子の電位との電位差）を検出する電池電圧検出回路５０が設けられており、電池電圧検出回路５０は電池４９の出力電圧を示すアナログ電圧値を制御回路１０に入力し得るように構成されている。
【００３０】
更に、ガスコンロ１には、外部装置と無線通信を行うための通信回路である無線通信部２０が設けられている。無線通信部２０は、無線受信部の一例に相当し、公知の無線通信方式（例えば、Bluetooth（登録商標）、Ｗｉ−Ｆｉ（登録商標）などの公知の無線通信規格に従った通信方式など）によって外部装置と無線通信を行い得る装置である。図３には、外部装置の一例としてスマートフォンとして構成された情報処理端末９０を例示している。
【００３１】
次に、情報処理端末９０について説明する。
図４のように、情報処理端末９０は、制御回路９１、記憶部９２、無線通信部９３、表示装置９４、操作部９５、入力回路９６Ａ、マイク９６Ｂ、出力回路９７Ａ、スピーカ９７Ｂなどを備える。情報処理端末９０は、スマートフォンやタブレット端末などの携帯型情報処理端末として構成されており、図示しない二次電池を電源として動作し得るようになっている。情報処理端末９０は、ガスコンロ用制御装置を構成する要部である。なお、図３では、スマートフォンとして構成された情報処理端末９０を例示しているが、情報処理機能を有する携帯型の端末であればスマートフォン以外の構成であってもよい。また、図４では、ガスコンロ１については一部部品のみを例示し、他の部品の図示を省略している。
【００３２】
制御回路９１は、例えばマイクロコンピュータなどの公知の情報処理装置として構成され、ＣＰＵなどの公知の演算装置及び他の周辺回路などを備えてなり、様々な制御や演算を行い得る。記憶部９２は、情報を記憶し得る装置であれば良く、例えば、ＲＯＭ、ＲＡＭ、不揮発性メモリなどの公知の半導体記憶装置を複数種類備えた構成とすることができる。無線通信部９３は、無線送信部の一例に相当し、公知の無線通信方式（例えば、Bluetooth（登録商標）、Ｗｉ−Ｆｉ（登録商標）などの公知の無線通信規格に従った通信方式など）で無線通信を行い得る通信装置である。無線通信部９３は、ガスコンロ１の無線通信部２０と無線通信を行い得る。
【００３３】
表示装置９４は、例えば公知のタッチパネル式表示装置の一部をなす表示部であり、液晶ディスプレイや有機エレクトロルミネッセンスディスプレイなどの公知の画像表示装置として構成されている。操作部９５は、例えば、表示装置９４の前方を覆うように配置される公知のタッチパネルとして構成され、表示装置９４の画像を外部から視認可能な透明性の構成で表示装置９４を覆う構成をなす。なお、ここで示す例はあくまで一例であり、表示装置９４は、ユーザが視認し得る状態で画像を表示し得る構成であればよい。操作部９５は、ユーザの操作によって情報を入力し得る構成であればよく、タッチパネル以外の入力インタフェース（ボタン等）を備えていてもよい。
【００３４】
入力回路９６Ａは、マイク９６Ｂで集音された音声のアナログ信号をデジタル信号（集音された音声に対応する電気信号）に変換し、制御回路９１に入力する公知の音声入力回路として構成されている。本構成では、マイク９６Ｂ、入力回路９６Ａ、制御回路９１が音声指示検出部の一例に相当し、ユーザの声によってなされる指示（音声指示）を検出するように機能する。出力回路９７Ａは、制御回路９１からの制御信号に基づき、制御回路９１から与えられた音声のデジタル信号をアナログ信号に変換してスピーカ９７Ｂに出力する公知の音声出力回路として構成されている。
【００３５】
情報処理端末９０での音声認識機能の原理を簡単に説明する。音声認識は、周知の音声認識技術を用いることができる。具体的には、記憶部９２（例えば不揮発性メモリ）に記憶する「音響モデルデータ」と、入力された音声信号（波形）のマッチング（照合）で行うとよい。「音響モデルデータ」とは、平均的な発音データを基に作られた音声の単語辞書を意味する。マッチングには、例えば「HMM(Hidden Markov Model)」と呼ばれる理論を用いるとよい。マッチングは通常１０〜２０ミリ秒の単位で、単語の先頭から順次行うのがよい。なお、音声認識技術は、公知の様々な音声認識方式を採用することができ、外部からマイク９６Ｂに入力された音声を解析して当該音声に含まれる言葉を認識し得る方式であれば、具体的な方式は特に限定されない。
【００３６】
次に、音声対応処理について説明する。
図５で示す音声対応処理は情報処理端末９０において制御回路９１によって実行される処理である。制御回路９１は、例えば、所定の開始条件の成立（例えば、電源投入、或いは電源投入後の所定のトリガ条件（例えばユーザによる操作部９５に対する所定操作など）の成立）に応じて図５で示す音声対応処理の初回の処理を実行し、初回の処理を実行した後には、図５の処理を繰り返し実行するように制御を行う。なお、以下で説明する音声対応処理は、例えば、情報処理端末９０をガスコンロ１と無線通信可能な位置（例えば、ガスコンロ１の周辺のキッチンカウンター上など）に配置した状態で実行すれば、ユーザが情報処理端末９０を手に持って操作せずともハンズフリー状態で好適に行うことができる。
【００３７】
制御回路９１は、図５の音声対応処理を開始した場合、まず、ステップＳ１において第１選択肢を表示する。本構成では、第１選択肢として複数の言葉が予め登録されており、ステップＳ１では、第１選択肢として登録された言葉を表示装置９４の表示画面に表示する。図８の説明図で示すように、第１選択肢として「火を消す」「コンロ右」「コンロ左」「コンロ後」「グリルオーブン」「機器情報」の６種類の言葉（項目）が予め定められており、制御回路９１は、ステップＳ１において、これらの言葉を情報処理端末の表示装置９４に表示する。図９には、ステップＳ１の処理によって第１選択肢を表示装置９４に表示したときの表示例を示している。なお、以下の説明では、このように、「火を消す」「コンロ右」「コンロ左」「コンロ後」「グリルオーブン」「機器情報」が第１選択肢として定められた例を代表例として説明する。図９のように、ステップＳ１の処理によって表示装置９４で表示される画像には、第１選択肢の各項目（各言葉）を示す各画像１１１が含まれている。各画像１１１は、音声によって選択可能であることを示す色（例えば、赤色）の文字とされている。
【００３８】
制御回路９１は、ステップＳ１の後、ステップＳ２において第１選択肢のいずれかを選択する音声指示があったか否かを判定する。即ち、ステップＳ２において、第１選択肢のいずれかの項目（言葉）の音声がマイク９６Ｂに入力されたか否か（マイク９６Ｂによって電気信号に変換されたか否か）を判定する。ステップＳ２において第１選択肢のいずれかを選択する音声指示が無いと判定した場合（ステップＳ２でＮｏの場合）、ステップＳ１に戻って第１選択肢の表示を維持する。つまり、図５の制御では、ステップＳ１で第１選択肢を表示した後、第１選択肢のいずれかを選択する音声指示があるまでは、第１選択肢の表示を継続し、第１選択肢のいずれかを選択する音声指示があった後には、ステップＳ３以降の処理を行うことになる。なお、第１選択肢の表示を継続しているときに所定の終了条件が成立した場合（例えば、所定の終了操作があった場合や第１選択肢を表示してから一定時間経過しても第１選択肢のいずれかを選択する音声指示がない場合など）に図５の制御を終了してもよい。
【００３９】
制御回路９１は、ステップＳ２において第１選択肢のいずれかを選択する音声指示があったと判定した場合、ステップＳ３において音声指示が特定指示であるか否かを判定する。本構成では、第１選択肢として定められた複数の項目（複数の言葉）のうちの一部の項目（一部の言葉）を「特定指示」としている。具体的には、第１選択肢となる音声指示（「火を消す」「コンロ右」「コンロ左」「コンロ後」「グリルオーブン」「機器情報」）のうちの、「機器情報」を特定指示として予め定めている。制御回路９１は、ステップＳ２において第１選択肢のいずれかを選択する音声指示があったと判定し、その音声指示が特定指示（機器情報）であると判定した場合（ステップＳ３でＹｅｓの場合）、ステップＳ４に進んで第１制御を行う。例えば、ユーザが「機器情報」という言葉を音声として発し、その言葉の音声がマイク９６Ｂによって音声信号（電気信号）に変換された場合、入力回路９６Ａは、この音声信号をデジタル信号に変換して制御回路９１に入力し、制御回路９１は、入力回路９６Ａから入力されるデジタル信号を解析することで「機器情報」という言葉の音声がマイク９６Ｂに入力されたと判定する。即ち、「機器情報」の音声を検出したと判定する。このような場合、制御回路９１は、ステップＳ２でＹｅｓ、ステップＳ３でＹｅｓと判定し、ステップＳ４に進んで第１制御を行う。
【００４０】
なお、制御回路９１は、ステップＳ２において第１選択肢のいずれかを選択する音声指示があったと判定し、その音声指示が特定指示（機器情報）でない（即ち、「火を消す」「コンロ右」「コンロ左」「コンロ後」「グリルオーブン」のいずれかである）と判定した場合（ステップＳ３でＮｏの場合）、ステップＳ５に進んで第２制御を行う。なお、ステップＳ５で行われる第２制御は、「火を消す」「コンロ右」「コンロ左」「コンロ後」「グリルオーブン」のうちのステップＳ２で認識された音声指示に対応する制御である。図８や以下の説明では、第２制御についての詳細は省略する。
【００４１】
制御回路９１は、ステップＳ４に進む場合、図６のような流れでステップＳ４の制御（第１制御）を行う。制御回路９１は、ステップＳ４の制御を開始した場合、まず、ステップＳ２１において第２選択肢を表示する。本構成では、特定指示（機器情報）に対応する第２選択肢として複数の項目（言葉）が予め登録されており、ステップＳ２１では、特定指示（機器情報）に対応する第２選択肢として登録された項目（言葉）を表示装置９４の表示画面に表示する。具体的には、図８の説明図で示すように、特定指示（機器情報）に対応する第２選択肢として「コンロ右」「コンロ左」「コンロ後」「グリルオーブン」「乾電池」「火を消す」の６種類の項目（言葉）が予め対応付けられて定められており、制御回路９１は、ステップＳ２１において、これらの項目（言葉）を文字情報として情報処理端末９０の表示装置９４に表示する。図１０には、このように制御回路９１がステップＳ２１の処理で第２選択肢（「コンロ右」「コンロ左」「コンロ後」「グリルオーブン」「乾電池」「火を消す」の６種類の項目（言葉））を表示装置９４に表示したときの表示例を示している。図１０で示す表示装置９４の画像は、ステップＳ３で特定指示（機器情報）であると判定された場合にステップＳ２１でその特定指示（機器情報）の文字情報と特定指示（機器情報）に対応する第２選択肢の文字情報とを表示したときの画像である。図１０で示す表示装置９４の画像では、特定指示（機器情報）の項目（言葉）を示す文字情報の画像１１２Ａを所定位置に所定の第１色（例えば黒色）で示し、その特定指示（機器情報）に対応する第２選択肢の各項目の各画像１１２Ｂを、画像１１２Ａとは別位置に所定の第２色（例えば、赤色）で示している。第１色は、音声によって選択不能であることを示す色であり、第２色は、音声によって選択可能であることを示す色である。図１０の画像では、各画像１１２Ｂの文字情報が選択可能であり、各画像１１２Ａの文字情報が選択不能であることが示されている。
【００４２】
制御回路９１は、ステップＳ２１の後、ステップＳ２２において第２選択肢のいずれかを選択する音声指示があったか否かを判定する。即ち、ステップＳ２２において、第２選択肢のいずれかの項目（言葉）の音声がマイク９６Ｂに入力されたか否か（マイク９６Ｂによって電気信号に変換されたか否か）を判定する。ステップＳ２１で第２選択肢の表示を開始した後、一定時間を経過しても第２選択肢のいずれかを選択する音声指示が無かった場合（ステップＳ２２でＮｏの場合）、図６の制御（即ち、ステップＳ４の第１制御）を終了する。
【００４３】
制御回路９１は、ステップＳ２１で第２選択肢の表示を開始した後、一定時間を経過する前に「乾電池」の項目（言葉）が発せられた場合、即ち、ユーザによって発せられた「乾電池」の項目（言葉）の音声がマイク９６Ｂに入力され、マイク９６Ｂによって「乾電池」の音声が電気信号に変換された場合、ステップＳ２２でＹｅｓと判定且つステップＳ２３でＹｅｓと判定し、ステップＳ２４において第１の機器関連制御を行う。制御回路９１は、ステップＳ２１の処理を開始した後、「乾電池」の音声がマイク９６Ｂに入力されず、一定時間を経過する前に「コンロ右」「コンロ左」「コンロ後」「グリルオーブン」のいずれかの音声がマイク９６Ｂに入力された場合、ステップＳ２２でＹｅｓ、ステップＳ２３でＮｏ、ステップＳ２５でＹｅｓと判定し、ステップＳ２６において第２の機器関連制御を行う。制御回路９１は、ステップＳ２１で第２選択肢の表示を開始した後、「乾電池」「コンロ右」「コンロ左」「コンロ後」「グリルオーブン」の音声がマイク９６Ｂに入力されず、一定時間を経過する前に、これら以外の第２選択肢（例えば、「火を消す」）の音声がマイク９６Ｂに入力された場合、ステップＳ２２でＹｅｓ、ステップＳ２３でＮｏ、ステップＳ２５でＮｏと判定し、ステップＳ２７において第３の機器関連制御を行う。このように、第１の機器関連制御は、第２選択肢のうちの「乾電池」の指定があった場合（「乾電池」の音声がマイク９６Ｂに入力された場合）になされる制御であり、第２の機器関連制御は、第２選択肢のうちの「コンロ右」「コンロ左」「コンロ後」「グリルオーブン」のいずれかの指定があった場合（「乾電池」「コンロ右」「コンロ左」「コンロ後」「グリルオーブン」の音声がマイク９６Ｂに入力された場合）になされる制御であり、第３の機器関連制御は、第２選択肢のうちの「乾電池」「コンロ右」「コンロ左」「コンロ後」「グリルオーブン」以外の指定があった場合（例えば、「火を消す」の音声がマイク９６Ｂに入力された場合）になされる制御となっている。
【００４４】
ここで、ステップＳ２４で行われる第１の機器関連制御について説明する。
制御回路９１は、ステップＳ２４において第１の機器関連制御を行う場合、制御回路１０と協働し、ガスコンロ１内に設けられた特定負荷に強制動作を行わせる。具体的には、制御回路９１及び無線通信部９３が、第１の機器関連制御で送信するコマンドとして予め定められた指示コマンド（特定負荷の強制駆動を指示する指示コマンド）をガスコンロ１に向けて無線送信し、ガスコンロ１側では、このように無線送信された指示コマンドを無線通信部２０によって受信する。そして、制御回路１０は、無線通信部２０がこのような指示コマンドを受信した場合に、ガスコンロ１内に設けられた特定負荷に強制動作を行わせる。このように特定負荷の強制駆動がなされる場合、物理量検出部の一例に相当する電池電圧検出回路５０は、特定負荷の強制駆動前の電池４９の出力電圧Ｖ１と、特定負荷の強制駆動開始後（例えば、強制駆動がなされている最中）の電池４９の出力電圧Ｖ２とをそれぞれ検出する。なお、電池４９の出力電圧は、例えば、電池４９の正極側に電気的に接続される導電路の電位と電池４９の負極側に電気的に接続される導電路の電位との電位差を検出することで求める。制御回路１０は、電池電圧検出回路５０によって検出された強制駆動開始前後の電池４９の出力電圧Ｖ１，Ｖ２を取得し、この出力電圧Ｖ１，Ｖ２を無線通信部２０によって情報処理端末９０に無線送信する。情報処理端末９０の無線通信部９３は、無線通信部２０から無線送信された情報（電池電圧検出回路５０（物理量検出部）によって検出された強制駆動開始前後の電池４９の出力電圧Ｖ１，Ｖ２）を受信し、内部抵抗値検出部の一例に相当する制御回路９１は、この情報（出力電圧Ｖ１，Ｖ２）に基づいて電池４９の内部抵抗値ｒを検出する。内部抵抗値ｒの算出方法は公知の様々な方法を用いることができる。
【００４５】
例えば、特定負荷の強制駆動開始前の消費電力が０とみなせる場合、特定負荷の強制駆動開始前に電池電圧検出回路５０によって検出される電池４９の電圧Ｖ１は、電池４９の起電力Ｅに相当する。そして、強制的に駆動された特定負荷の強制駆動中の抵抗値がＲである場合、特定負荷の強制駆動中に電池電圧検出回路５０によって検出される電池４９の電圧Ｖ２は、強制駆動中に電池から流れる電流をＩとしたとき、Ｖ２＝Ｖ１−ｒＩ（式１）で表すことができる。そして、強制駆動中の電流Ｉは、Ｉ＝Ｖ１／（ｒ＋Ｒ）（式２）と表すことができるため、Ｖ１、Ｖ２が検出されれば、既知の値Ｒと式１、式２とに基づいて電池４９の内部抵抗値ｒを求めることができる。
【００４６】
なお、ステップＳ２４で強制的に駆動する特定負荷は、どのような負荷であってもよく、例えば、図３で示すようなイグナイタ２６Ａ，２６Ｂ，２６Ｃ，２６Ｄのいずれかであってもよく、元電磁弁を閉塞した状態でモータＭ１，Ｍ２，Ｍ３，Ｍ４のいずれかを特定負荷として駆動してもよい。或いは、予め抵抗値Ｒが定められた何らかの抵抗器を特定負荷としてもよい。
【００４７】
また、ここでは、内部抵抗値を算出するために１つの特定負荷を強制駆動する例を示したが、予め抵抗値が判明している複数の特定負荷を順次強制駆動し、各特定負荷の強制駆動によって算出される内部抵抗値をそれぞれ求め、これらの内部抵抗値の平均値を電池４９の内部抵抗値ｒとしてもよい。
【００４８】
上述した例では、制御回路９１が内部抵抗値ｒを算出したが、制御回路１０が内部抵抗値ｒを算出し、算出した内部抵抗値ｒを無線通信部２０によって情報処理端末９０に無線送信してもよい。
【００４９】
制御回路９１は、内部抵抗値ｒが得られた場合、内部抵抗値ｒの値そのものを音声によって報知してもよい。或いは、内部抵抗値ｒに応じた寿命の予測情報を報知してもよい。具体的には、内部抵抗値ｒが予め定められた複数の範囲のいずれかに該当するかを特定する情報を報知するようにしてもよい。例えば、算出された内部抵抗値ｒが第１の範囲である場合、状態を「良好」とし、ｒが第１の範囲よりも大きい第２の範囲である場合に状態を「注意」とし、ｒが第２の範囲よりも大きい第３の範囲である場合に状態を「不可」を判定してもよい。そして、その判定結果を音声によって報知してもよい。或いは、内部抵抗値と残寿命（使用可能な残時間）とを対応付けた演算式（内部抵抗値と残寿命をそれぞれ変数とする演算式）を予め用意しておき、内部抵抗値が算出された場合に、その演算式によって残寿命を求め、その残寿命を音声によって報知してもよい。本構成では、制御回路９１、出力回路９７Ａ、スピーカ９７Ｂが報知部の一例に相当し、電池電圧検出回路５０（物理量検出部）によって検出された「強制駆動の開始前後の電池の出力電圧Ｖ１，Ｖ２」に基づく情報（例えば、内部抵抗値ｒそのもの、内部抵抗値ｒによって把握される寿命など）を報知するように動作する。
【００５０】
なお、製品出荷時などの所定の時期に電池４９の内部抵抗値ｒ０を予め測定しておき、この情報をガスコンロ１や情報処理端末９０の記憶部に予め記憶しておいてもよい。そして、上述の方法によって内部抵抗値ｒを検出した場合、その測定された内部抵抗値ｒと初期の内部抵抗値ｒ０との比率（ｒ／ｒ０）×１００（％）を「電池の内部抵抗値に基づく情報」（具体的には、寿命の予測情報）として上記報知部によって報知してもよい。或いは、上記比率が予め定められた複数の範囲のいずれかに該当するかを特定する情報を「電池の内部抵抗値に基づく情報」として報知するようにしてもよい。例えば、上記比率が第１の範囲である場合、状態を「良好」とし、上記比率が第１の範囲よりも大きい第２の範囲である場合に状態を「注意」とし、上記比率が第２の範囲よりも大きい第３の範囲である場合に状態を「不可」を判定してもよい。そして、その判定結果を音声によって報知してもよい。
【００５１】
制御回路９１は、以上のような第１の機器関連制御を行った後、処理をステップＳ２１に戻し、ステップＳ２１以降の処理を行う。
【００５２】
次に、ステップＳ２６で行われる第２の機器関連制御について説明する。
制御回路９１は、ステップＳ２６において第２の機器関連制御を行う場合、制御回路１０と協働し、第２選択肢の中から選択されたコンロ部又はグリルを温度検出対象として温度情報を取得する。具体的には、いずれの温度検出対象が指定された場合でも、その温度検出対象に着目して図７のような制御を行う。つまり、図７で示す制御を行うプログラムが、「コンロ右」「コンロ左」「コンロ後」「グリルオーブン」のそれぞれに対応して用意されており、ステップＳ２１において第２選択肢が表示された後に「コンロ右」「コンロ左」「コンロ後」「グリルオーブン」のいずれかが音声によって指定された場合（第２選択肢の表示後に「コンロ右」「コンロ左」「コンロ後」「グリルオーブン」のいずれかの言葉が音声としてマイク９６Ｂに入力された場合）、ステップＳ２６では、複数準備された図７の制御のうち、その指定された言葉（音声指示）に対応する制御を実行する。例えば、ステップＳ２１の実行によって図１０のような表示がなされているときに、「コンロ右」の言葉が音声としてマイク９６Ｂに入力された場合、「コンロ右」（右コンロ部４Ａ）を制御対象として、「コンロ右」（右コンロ部４Ａ）に対応付けられた図７の制御を実行する。なお、以下では、複数準備された図７の制御のうち、「コンロ右」（右コンロ部４Ａ）に対応付けられた制御を実行する場合を例示して説明する。
【００５３】
「コンロ右」（右コンロ部４Ａ）を制御対象として「コンロ右」（右コンロ部４Ａ）に対応付けられた図７の制御を行う場合、ステップＳ３１では、図１１のように制御対象であるコンロ右（右コンロ部４Ａ）に関連した第３選択肢を表示装置９４に表示する。具体的には、図１０のように第２選択肢として表示されていた「コンロ右」「コンロ左」「コンロ後」「グリルオーブン」「乾電池」「火を消す」の６種類の項目（言葉）の中から、制御対象となったコンロ右（右コンロ部４Ａ）の項目（言葉）を残余の項目（言葉）とは異なる態様で表示する。図１１の例では、制御対象となったコンロ右（右コンロ部４Ａ）の項目（言葉）の画像１１３Ｄと、残余の項目（言葉）である「コンロ左」「コンロ後」「グリルオーブン」「乾電池」「火を消す」の各画像１１３Ｂとを表示しているが、画像１１３Ｄの文字のフォントが各画像１１３Ｂの文字のフォントよりも大きくなっている。なお、画像１１３Ｄの文字の色と各画像１１３Ｂの文字の色を異ならせてもよい。図１１の例では、画像１１３Ｄについては、特定の領域１１３Ｃにおいて画像１１３Ｄで特定される制御対象（コンロ右（右コンロ部４Ａ））に対応付けられた第３選択肢（「使用時間」「センサー温度」）と共に表示している。ステップＳ３１で図１１のように示す表示装置９４の画像では、第３選択肢（「使用時間」「センサー温度」）の項目（言葉）を示す文字情報の画像１１３Ｅを所定位置に所定色（例えば赤色）で示し、その他の項目の各画像１１３Ａ，１１３Ｂ，１１３Ｄを、画像１１３Ｅとは別位置に上記所定色とは異なる色（例えば、黒色）で示す。この場合、所定色は音声によって選択可能であることを示す色であり、所定色とは異なる色は音声によって選択不能であることを示す色である。図１１の画像では、各画像１１３Ｅの文字情報が選択可能であり、各画像１１３Ａ，１１３Ｂ，１１３Ｄの文字情報が選択不能であることが示されている。
【００５４】
制御回路９１は、ステップＳ３１でこのような表示を行ってから一定時間経過しても音声による所定の応答がない場合、ステップＳ３３において制御をキャンセルし、着目している制御対象（「コンロ右」（右コンロ部４Ａ））についての図７の制御（第２の機器関連制御）を終了する。また、ステップＳ３１で図１１のような表示を行っているときに、第３選択肢の一つである「センサー温度」が音声によって選択された場合、即ち、「センサー温度」の言葉が音声としてマイク９６Ｂに入力された場合、着目している制御対象（「コンロ右」（右コンロ部４Ａ））についての温度の要求がなされたものとしてステップＳ３４の処理を行う。なお、本構成では、『ステップＳ２１での第２選択肢の表示後に「コンロ右」「コンロ左」「コンロ後」「グリルオーブン」のいずれかの項目を音声によって選択する指示』、及び、『その選択された項目のガスバーナが点火中である場合においてその選択された項目に対応する図７の制御でステップＳ３１での第３選択肢の表示後に「センサー温度」の項目を音声によって選択する指示』が、「点火中のガスバーナ近傍での温度検出を要求する温度要求指示」の一例に相当する。
【００５５】
一方、制御回路９１は、その他の要求がなされた場合（具体的には、ステップＳ３１で図１１のような表示を行っているときに、「センサー温度」以外の第３選択肢（図１１の例では「使用時間」）が音声によって選択された場合）、ステップＳ３５の処理を行う。ステップＳ３５は、「センサー温度」以外の第３選択肢が選択された場合に、その第３選択肢に対応付けられたプログラムを実行する処理である。
【００５６】
制御回路９１は、ステップＳ３４の処理を行う場合、無線通信部９３と協働し、ステップＳ３４のコマンドとして予め定められた指示コマンドを無線送信する。この指示コマンドは、図７の制御で着目している制御対象である「コンロ右」（右コンロ部４Ａ）を温度検出対象とし、この温度検出対象の温度を要求する要求コマンドであり、温度検出対象（図７の制御で着目している制御対象である、「コンロ右」（右コンロ部４Ａ））を特定する情報と温度を要求する情報とを含む情報である。情報処理端末９０側では、このように無線送信された要求コマンドを無線通信部２０によって受信する。そして、制御回路１０は、無線通信部２０がこのような要求コマンドを受信した場合に、要求コマンドで特定される温度検出対象（図７の制御で着目している制御対象である、「コンロ右」（右コンロ部４Ａ））の温度を検出する。制御回路１０は、要求コマンドの受信に応じて温度検出対象の温度を検出する場合、要求コマンドを受信した時点でその温度検出対象が既に点火中である場合には、その温度検出対象の火力を最小火力（調整可能な火力範囲の中で最小となる火力）にする。なお、既に温度検出対象の火力が最小火力である場合には、そのまま最小火力で維持する。
【００５７】
例えば、図７の制御で着目している制御対象が「コンロ右」（右コンロ部４Ａ）であり、右コンロ部４Ａのガスバーナ５１が最大火力で動作している「点火中のガスバーナ」であるとき、制御回路１０は、ステップＳ３４で送信された上記要求コマンドに応じて「コンロ右」（右コンロ部４Ａ））の温度を検出する場合には、点火中のガスバーナ５１の火力を最小火力（所定の抑制状態）にするように強制動作を行う。このような強制動作がなされると、点火中のガスバーナ５１付近の計測対象領域（具体的には、サーミスタ５１Ｃに接触する調理容器の表面）の温度が抑制されるように変化する。そして、サーミスタ５１Ｃ（物理量検出部）は、このように強制動作がなされた場合には、強制動作中、即ち、ガスバーナ５１が最小火力（所定の抑制状態）とされているときの計測対象領域（サーミスタ５１Ｃに接触する調理容器の表面）の温度を検出することになる。ガスコンロ１の制御回路１０は、このように強制動作中にサーミスタ５１Ｃによって検出された計測対象領域の温度を、無線通信部２０と協働し、情報処理端末９０に送信する。
【００５８】
このように制御回路１０及び無線通信部２０によって強制動作中の計測対象領域の温度（強制動作中にサーミスタ５１Ｃによって検出された温度）が無線送信された場合、情報処理端末９０側では、制御回路９１及び無線通信部９３が協働し、この無線送信された情報を受信する。そして、報知部の一例に相当する制御回路９１、出力回路９７Ａ及びスピーカ９７Ｂは、このように得られた「計測対象領域の温度」に基づく情報を音声によって報知する。
【００５９】
例えば、上述したように、ガスバーナ５１が最小火力よりも大きい火力（例えば最大火力）で点火している場合に、ステップＳ２１での第２選択肢の表示後に「コンロ右」を音声によって選択する指示がなされ、その「コンロ右」に対応する図７の制御においてステップＳ３１での第３選択肢の表示後に「センサー温度」の項目を音声によって選択する指示がなされた場合、これらの指示は、「最小火力よりも大きい火力で点火中のガスバーナ近傍での温度検出を要求する温度要求指示」の一例に相当し、この場合、物理量検出部の一例に相当するサーミスタ５１Ｃは、ガスバーナ５１を最小火力としたときのサーミスタ５１Ｃの表面の温度を、「所定の抑制状態のときの計測対象領域の温度」として検出することになる。この場合、報知部は、「ガスバーナ５１を最小火力とするように強制動作を行っているときにサーミスタ５１Ｃによって検出される温度」に基づく情報を、「所定の抑制状態のときの計測対象領域の温度に基づく情報」として報知することになる。この情報は、「所定の抑制状態のときの計測対象領域の温度」そのもの（例えば、ガスバーナ５１を最小火力とするように強制動作を行っているときにサーミスタ５１Ｃによって検出される温度の値）であってもよい。或いは、「所定の抑制状態となる前の計測対象領域の温度及び所定の抑制状態となった後の計測対象領域の温度」（例えば、ガスバーナ５１を最小火力とするように強制動作を行う前にサーミスタ５１Ｃによって検出される温度の値と強制動作中にサーミスタ５１Ｃによって検出される温度の値）であってもよく、所定の抑制状態となる前と後での温度変化量などであってもよい。或いは、これらの温度情報を利用した調理容器内の内容物の温度情報であってもよい。
【００６０】
温度を報知する場合、具体的には以下のように報知してもよい。
例えば、ステップＳ３４で検出対象となるガスバーナにおけるステップＳ３４の実行前の火力が最小火力よりも大きく、ステップＳ３４においてそのガスバーナの火力を最小火力（所定の抑制状態）にするように強制動作がなされる場合において、強制動作中、即ち、そのガスバーナが最小火力（所定の抑制状態）とされているときの計測対象領域の温度（そのガスバーナに対応するサーミスタによって検出される温度であり、例えば、そのガスバーナに対応するサーミスタに接触する調理容器の表面の温度）Ｔ２と、強制動作前の計測対象領域の温度Ｔ１とをそれぞれ検出した場合、温度Ｔ２の値を報知してもよく、温度Ｔ２に所定の補正値αを加算した値（Ｔ２＋α）を報知してもよい。補正値αを加算した値を報知する場合、補正値αは、予め定められた固定値であってもよく、強制動作開始前と後の温度変化量ΔＴ（ΔＴ＝Ｔ２−Ｔ１）に応じて補正値αを定めてもよい。例えば、α＝Ｋ×ΔＴ（但し、Ｋは予め定められた係数）の式によってαを定めてもよい。
また、報知方法は上述の例に限定されず、例えば、強制動作前の温度Ｔ１と強制動作中の温度Ｔ２との平均値を報知してもよい。或いは、強制動作前の温度Ｔ１と強制動作中の温度Ｔ２との差が一定値未満である場合に温度Ｔ１又は温度Ｔ２若しくはＴ１とＴ２の平均値などを報知してもよい。或いは、強制動作前の温度Ｔ１と強制動作中の温度Ｔ２との差が一定値を超える場合に所定情報（異常である旨の情報等）を報知してもよい。
【００６１】
制御回路９１は、以上のような第２の機器関連制御を行った後、処理をステップＳ２１に戻し、ステップＳ２１以降の処理を行う。
【００６２】
なお、上述した説明では、ステップＳ２１の後に「コンロ右」が音声によって選択された場合のステップＳ２６の処理、即ち、「コンロ右」（右コンロ部４Ａ）を制御対象として「コンロ右」（右コンロ部４Ａ）に対応付けられた図７の制御を行う場合について説明したが、ステップＳ２１の後に「コンロ左」「コンロ後」「グリルオーブン」のいずれかが音声によって指定された場合でも、指定された装置に対応付けられた図７の制御を同様に行えばよい。
【００６３】
制御回路９１は、図６のステップＳ２７において第３の機器関連制御を行う場合、ステップＳ２２において指定ありと判定された第２選択肢（電池、コンロ、グリル以外の選択肢）に対応する制御を行う。図１０の例では、第２選択肢の一つとして、「火を消す」が含まれており、「火を消す」の指定がなされた場合（ステップＳ２１で第２選択肢が表示された後にマイク９６Ｂに「火を消す」の音声が入力された場合）には、第３の機器関連制御を行う。この場合、制御回路９１は、例えば、表示装置９４に第３選択肢として「コンロ右」「コンロ左」「コンロ後」「グリルオーブン」の項目を表示し、いずれかの項目が音声によって指定された場合には、その指定された項目に対応するガスバーナを消火する。具体的には、制御回路９１と無線通信部９３が協働し、指定された項目に対応するガスバーナの消火を指示するコマンドをガスコンロ１に無線送信し、ガスコンロ１は、そのコマンドの受信に応じて、コマンドで指定されたガスバーナの消火動作を行う。制御回路９１は、このような第３の機器関連制御を行った後、処理をステップＳ２１に戻し、ステップＳ２１以降の処理を行う。
【００６４】
ここで、本構成の効果を例示する。
ガスコンロ用制御装置１０１は、音声によって特定指示が与えられた場合に、その特定指示を音声指示検出部によって検出し、ガスコンロ１内の所定部位に強制動作を行わせることができる。そして、このような強制動作がなされる場合には、強制動作に応じて所定種類の物理量（温度、出力電圧等）が変化する計測対象領域において所定種類の物理量を検出し、その検出結果に基づく情報を外部に報知することができる。つまり、ユーザは、ガスコンロ用制御装置１０１に対して音声で特定指示を与えることで、所定部位に強制動作を行わせるようにガスコンロ１を動作させることができる。そして、その強制動作によって影響を受ける領域（計測対象領域）の物理量を検出させた上で、その検出結果に基づく情報を外部に報知させるようにガスコンロ用制御装置１０１を動作させることができる。
【００６５】
本構成では、制御回路１０及び制御回路９１が制御部の一例として機能し、点火中のガスバーナ近傍での温度検出を要求する温度要求指示が「特定指示」である場合であって、点火中のガスバーナの火力が所定の抑制状態（例えば、最小火力）よりも大きい火力である場合に、その点火中のガスバーナの点火状態を維持したまま、その点火中のガスバーナの火力が所定の抑制状態となるように点火中のガスバーナに強制動作を行わせることができる。そして、サーミスタ５１Ｃ，５２Ｃ，５３Ｃ，５４Ｃが物理量検出部の一例として機能し、温度要求指示に応じて点火中のガスバーナに対して強制動作が行われた場合に、点火中のガスバーナ近傍を計測対象領域として温度を検出することができる。そして、報知部は、強制動作中に物理量検出部によって検出された計測対象領域の温度に基づく情報を報知することができる。
つまり、計測対象領域（温度要求がなされたガスバーナ近傍）がガスバーナによって直接的に加熱される度合いを強制動作によって抑えた上で、その計測対象領域の温度を検出し、その検出結果に基づく情報を報知することができる。なお、この例では、「ガスバーナ近傍の温度」が所定種類の物理量の一例に相当する。
【００６６】
具体的には、ユーザによって点火中のガスバーナ近傍での温度検出を要求する温度要求指示がなされたときに、その点火中のガスバーナの火力が最小火力でない場合に、そのガスバーナの火力を最小火力とするように強制動作を行わせることができる。そして、このような強制動作により、点火中のガスバーナの火力が計測対象領域（点火中のガスバーナ近傍）に直接的に及ぼす影響をより一層抑えた上で、計測対象領域の温度を検出し、その検出結果に基づく情報を報知することができる。
【００６７】
また、本構成では、第１の機器関連制御に基づく報知も可能となる。即ち、ユーザが音声によって特定指示を発した場合に、予め定められた特定負荷を強制的に駆動し、その強制駆動の開始前後において電池４９の出力電圧Ｖ１，Ｖ２を検出した上で、その検出結果に基づく情報を報知することができる。よって、ユーザは、複雑な手操作を数多く行わなくても、簡易な音声指示によって電池４９の具体的な状態を正確に把握しやすくなる。なお、この例では、「電池４９の出力電圧」が所定種類の物理量の一例に相当する。
【００６８】
また、本構成では、ユーザは、音声によって内部抵抗値ｒの検出を指示することが可能となり、その時点での電池４９の内部抵抗値ｒを反映した情報を報知させることが可能となる。
【００６９】
また、報知部の一例に相当する制御回路９１、出力回路９７Ａ、スピーカ９７Ｂは、上述した強制動作が行われる前又は強制動作中に、強制動作が行われることの報知又は強制動作が行われていることの報知を行うようにしてもよい。
例えば、ステップＳ２４で第１の機器関連制御を行う直前に「これから計測用の動作を行います」等のメッセージを音声で報知してもよく、ステップＳ２４で第１の機器関連制御を行っている最中（具体的には、特定負荷を強制的に駆動している最中）に「現在、計測用の動作を行っています」等のメッセージを音声で報知してもよい。これらのメッセージは、同様の趣旨のメッセージに置き換えることができる。また、メッセージ音声による報知でなくても良く、特定パターンのブザー音や表示装置９４でのメッセージ表示であってもよい。
或いは、ステップＳ２６の第２の機器関連制御を行う直前に「温度計測のために火力を最小にします」等のメッセージを音声で報知してもよく、第２の機器関連制御を行っている最中（具体的には、上述した温度検出対象となるコンロ部又はグリルのガスバーナの火力を最小火力よりも大きい火力から最小火力に抑制する強制動作を行っている最中）に「温度計測のために火力を最小にしています」等のメッセージを音声で報知してもよい。これらのメッセージは、同様の趣旨のメッセージに置き換えることができる。また、メッセージ音声による報知でなくても良く、特定パターンのブザー音や表示装置９４でのメッセージ表示であってもよい。
また、このような報知は、情報処理端末９０から音声で発することが望ましいが、ガスコンロ１にて上述のメッセージ音声やメッセージ表示を行うようにしてもよい。
いずれにしても、上述した強制動作が行われる前又は強制動作中に、強制動作が行われることの報知又は強制動作が行われていることの報知を行うようにすれば、強制動作前と強制動作中とでのガスコンロ１の状態や音などが変化しても、ユーザはその変化が強制動作に起因するものであるということを推測しやすくなる。従って、強制動作中にユーザが違和感をもったり不安を感じたりしにくくなる。
【００７０】
上記ガスコンロシステム１００では、制御回路９１が表示制御部の一例に相当し、音声指示検出部で検出された音声指示（第１選択肢の表示中にマイク９６Ｂに入力された音声による指示であり、ステップＳ１で「音声指示あり」と判定された音声指示）が機器情報を要求する所定の要求指示である場合に、機器情報を報知可能な複数の対象部分（図１０における「コンロ後」「コンロ左」「コンロ右」「グリルオーブン」「乾電池」）のリストを表示装置９４に表示する。「機器情報を要求する所定の要求指示」とは、具体的には、ステップＳ１にて図９のような画面（複数の第１選択肢を表示する画面）が表示され、このように複数の第１選択肢が表示されている状態でマイク９６Ｂに「機器情報」の音声が入力された場合の「機器情報」の音声が、「機器情報を要求する所定の要求指示」の一例に相当する。そして、表示制御部に相当する制御回路９１は、このように「機器情報を要求する所定の要求指示」が音声指示検出部で検出された場合（具体的には、Ｓ３でＹｅｓの場合）には、ステップＳ２１において図１０のように「機器情報を報知可能な複数の対象部分のリスト」を表示装置９４に表示する。図１０の例では、表示される第２選択肢のうちの、「コンロ右」「コンロ左」「コンロ後」「グリルオーブン」「乾電池」の５種類の情報が、「機器情報を報知可能な複数の対象部分のリスト」の一例に相当し、「コンロ右」「コンロ左」「コンロ後」「グリルオーブン」「乾電池」の各部位が、「機器情報を報知可能な複数の対象部分」の一例に相当する。
制御部として機能する制御回路９１は、このようなリスト（図１０）が表示装置９４に表示された後に音声指示検出部で検出された音声指示が、このリストのうちのいずれかの対象部分を指定して物理量の検出を要求する特定指示である場合に、特定指示で指定された対象部分に対応した計測対象領域での所定種類の物理量に影響を与える所定部位に強制動作を行わせるように動作する。「このリストのうちのいずれかの対象部分を指定して物理量の検出を要求する特定指示である場合」とは、『ステップＳ２１で図１０のように第２選択肢が表示された状態で音声によって「乾電池」が指定された場合（即ち、ステップＳ２３でＹｅｓの場合）において、ステップＳ２４の第１の機器関連制御が行われる場合』、又は、『ステップＳ２１で図１０のように第２選択肢が表示された状態で音声によって「コンロ右」「コンロ左」「コンロ後」「グリルオーブン」のいずれかの項目が指定された場合（即ち、ステップＳ２５でＹｅｓの場合）において、その指定された項目に対応する図７の制御においてステップＳ３１で図１１のように第３選択肢が表示された状態で音声によって「センサー温度」が指定された場合（即ち、ステップＳ３４が行われる場合）』のいずれかの場合が該当する。
例えば、図１０のようにリストが表示されているときに「乾電池」を指定する音声指示は、「電池４９を指定して物理量（出力電圧）の検出を要求する特定指示」に相当し、この場合、制御回路９１は、電池４９に対応した計測対象領域（具体的には電池４９の両電極）での所定種類の物理量（出力電圧）に影響を与える所定部位（特定負荷）に強制動作（強制駆動）を行わせるように動作する。或いは、図１０のように第２選択肢が表示されているときに音声によって「コンロ右」を指定し、この指定に応じて図１１のように第３選択肢が表示されたときに音声によって「センサー温度」を指定する音声指示は、「コンロ右（右コンロ部４Ａ）を指定して物理量（温度）の検出を要求する特定指示」に相当する。この場合、制御回路９１は、コンロ右（右コンロ部４Ａ）に対応した計測対象領域（サーミスタ５１Ｃの表面）での所定種類の物理量（温度）に影響を与える所定部位（ガスバーナ５１）に強制動作（火力を最小火力にする動作）を行わせるように動作する。
このように構成されていれば、ユーザは、所定の要求指示を音声によって発することで機器情報を報知可能な複数の対象部分のリストを把握することが可能となり、ガスコンロ内においてどの部分の機器情報が取得可能なであるかを簡単な操作で正確に認識しやすくなる。そして、リストの内容を把握した後には、物理量の検出を要求する部分を簡単な操作で正確に指定しやすくなる。
【００７１】
＜他の実施例＞
本発明は上記記述及び図面によって説明した実施例に限定されるものではなく、例えば次のような例も本発明の技術的範囲に含まれる。
【００７２】
実施例１では、ガスコンロの例としてビルトインコンロを例示したが、テーブルコンロであってもよい。
【００７３】
実施例１では、ガスバーナ５１，５２，５３，５４が設けられたガスコンロ１を例示したが、ガスバーナの数はこれよりも多くても少なくてもよい。例えば、１つのガスバーナのみが設けられ、１つのイグナイタのみが設けられるようなガスコンロなどであってもよい。
【００７４】
実施例１では、制御回路９１、出力回路９７Ａ、スピーカ９７Ｂが報知部の一例に相当する例を示したが、これらとともに、或いはこれらに代えて、制御回路９１及び表示装置９４が報知部として機能しもよい。この場合、開始前後の電池４９の出力電圧Ｖ１，Ｖ２に基づく情報（電池４９の内部抵抗値ｒに基づく情報、内部抵抗値ｒの値そのもの、内部抵抗値ｒに応じた寿命の予測情報など）を表示装置９４に表示してもよく、計測対象領域の温度に基づく情報（強制動作前の温度Ｔ１、強制動作中の温度Ｔ２、これらＴ１，Ｔ２に基づく情報など）を表示装置９４に表示してもよい。
【００７５】
実施例１では、情報処理端末９０に報知部が設けられた例を示したが、ガスコンロ１に報知部が設けられていてもよく、情報処理端末９０とガスコンロ１の両方に報知部が設けられていてもよい。
【００７６】
実施例１では、情報処理端末９０とガスコンロ１とを備えたガスコンロシステム１００によってガスコンロ用制御装置１０１が構成されていたが、ガスコンロ用制御装置は、ガスコンロのみによって構成されていてもよい。この場合、音声指示検出部、制御部、物理量検出部、報知部、内部抵抗値検出部などが全てガスコンロに設けられていればよい。
【符号の説明】
【００７７】
１…ガスコンロ
１０…制御回路（制御部）
４９…電池
５０…電池電圧検出回路（物理量検出部）
５１，５１，５０，５４…ガスバーナ
５１Ｃ，５２Ｃ，５３Ｃ，５４Ｃ…サーミスタ（物理量検出部）
９０…情報処理端末
９１…制御回路（音声指示検出部、制御部、報知部、内部抵抗値検出部、表示制御部）
９４…表示装置（報知部）
９６Ａ…入力回路（音声指示検出部）
９６Ｂ…マイク（音声指示検出部）
９７Ａ…出力回路（報知部）
９７Ｂ…スピーカ（報知部）
１００…ガスコンロシステム
１０１…ガスコンロ用制御装置
【図１】
2020041720.tif 000003
【図２】
2020041720.tif 000004
【図３】
2020041720.tif 000005
【図４】
2020041720.tif 000006
【図５】
2020041720.tif 000007
【図６】
2020041720.tif 000008
【図７】
2020041720.tif 000009
【図８】
2020041720.tif 000010
【図９】
2020041720.tif 000011
【図１０】
2020041720.tif 000012
【図１１】
2020041720.tif 000013